(57)【特許請求の範囲】
【請求項１】
注入口（２）を備えた中空の収容体と、前記注入口（２）に装着されるキャップ（３）とで構成され、
前記キャップ（３）は、前記注入口（２）に装着され突出した注出口（４ａ）を備えるキャップ本体（４）と、当該キャップ本体（４）の上端部を覆う指一本分の厚さに満たないカバー（５ａ）、封鎖解除の手掛かりとなる突片（５ｅ）、開限界角で収容体の柔軟部（１ａ）に達する角部（５ｂ）、及び封鎖状態で注出口（４ａ）に嵌まる栓（５ｃ）を備える蓋部（５）と、当該蓋部（５）とキャップ本体（４）とを開閉自在に連結するヒンジ部（６）とを一体成形してなり、
前記収容体は、蓋部（５）の収容体との干渉が発生する開限界角を超えた開操作を以って容積が小さくなる様に変形し、前記蓋部（５）の開限界角内への復帰を以って変形が回復する柔軟部（１ａ）を有し、
前記ヒンジ部（６）は、折目となる直線状の薄肉部（７）を具備し、
前記角部（５ｂ）は、略一回の点眼量に略等しい容積の加圧条（５ｂａ）又は球状の加圧玉（５ｂｂ）を当該角部（５ｂ）の上端に備える流動物押出用容器。
【発明の詳細な説明】
【技術分野】
【０００１】
本発明は、流動物押出用容器の使用感を向上させる技術に関する。
【背景技術】
【０００２】
液体その他の流動物を滴下する容器としては、下記特許文献１に開示の点眼剤容器が挙げられるが、使用する度にキャップを取り外さなければならない他、比較的小型の部材と言うこともあり落下による汚染の可能性もあった。
【０００３】
その他キャップ一体型容器も紹介され、簡単な一連の動作を以ってキャップを落下させる事無く容器部を圧搾し、流動物の取り出しを行なえる容器も採用されている（例えば、下記特許文献２参照。）。
【先行技術文献】
【特許文献】
【０００４】
【特許文献１】特開２００４−８９６０９号公報
【特許文献２】特開２００８−２３０６２４号公報
【発明の開示】
【発明が解決しようとする課題】
【０００５】
しかしながら、上記特許文献２に記載の容器にあっても以下の様な問題点がある。
即ち、保形性維持の観点から収容体のエッジ部分は相対的に硬く、軽い力で収容体に変形を生じさせるには、蓋部の上縁を円弧状に突出した形に成形し、又は蓋部の高さ若しくは奥行きをキャップ本体の厚みより長くするといった加圧しやすい形状に成形しなければならない。
【０００６】
その際、キャップ本体の厚みを小さくすると、被り厚の不足により、十分な装着強度を得ることができず、また、収容体に押圧を加える際に、端部に比べより柔軟な部分である収容体の中央付近へキャップを接触させることができないことがある。
逆に、前記特許文献２の図６に示されるように、キャップの厚みを大きくすると、端部に比べより柔軟な部分である収容体の中央付近へキャップを接触させることができるが、閉栓状態において、ヒンジ部のわずかな歪みもが距離により増幅されて、キャップ頂点に伝わるため、密閉不良が生じ易く、液漏れや汚染の原因となる。
【０００７】
本発明は、上記実情に鑑みてなされたものであって、簡単な一連の動作を以って外したキャップを落下させることなく流動物の滴下を行える簡素な構成を持ち、且つ密閉不良が生じにくい流動物押出用容器の提供を目的とする。
【課題を解決するための手段】
【０００８】
上記課題を解決する為になされた本発明による流動物押出用容器は、注入口を備えた中空の収容体と、前記注入口に装着されるキャップとで構成され、前記キャップは、前記注入口に装着され突出した注出口を備えるキャップ本体と、当該キャップ本体の上端部を覆う指一本分の厚さに満たないカバー、開限界角で収容体の柔軟部に達する角部、及び封鎖状態で注出口に嵌まる栓を備える蓋部と、当該蓋部とキャップ本体とを開閉自在に連結するヒンジ部とを一体成形してなり、前記収容体は、蓋部の収容体との干渉が発生する開限界角を超えた開操作を以って容積が小さくなる様に変形し、前記蓋部の開限界角内への復帰を以って変形が回復する柔軟部を有することを特徴とする。
【０００９】
角部は、本発明の目的を達成できるものであれば、その形状や大きさは問わないが、その形状については、特に、キャップの中心から見てヒンジ部の側に向かって傾いた形状の角部（以下「正方向の角部」と呼称することがある。）とするか、また、その逆に、キャップの中心から見てヒンジ部の反対側に向かって傾いた形状の角部（以下「逆方向の角部」と呼称することがある。）とすることが好ましい。
【００１０】
正方向の角部を備えた場合には、角部が収容体の柔軟部に届きやすく、また、開栓方向へ向かって滑らかな形状となることによって、誤開栓を防止することができるという効果が得られる。他方、逆方向の角部を設けた場合には、角部が収容体の柔軟部に届きにくくなるものの、角部に指をかけてキャップを開封することが容易になるため、封鎖解除の手掛かりとなる突片を、別途設けなくても、容易にキャップを開封できるという効果が得られる。
【００１１】
いずれの設置方向を採用しても、それぞれ利点が存在するため、容器のサイズ、想定する使用者、使用場面などにより、適宜使い分けることが好ましい。また、必要に応じて、例えば、図９（Ｅ），（Ｆ）のように、正方向の角部と、逆方向の角部の両方を同時に備えても良い。
【００１２】
角部の大きさについては、通例、カバー（５ａ）の高さに対して０．３倍〜１０倍程度、好ましくは０．５倍〜５倍程度、より好ましくは０．８倍〜３倍程度である。また、角部は、押下操作に耐える程度の強度を確保できる太さ、もしくは厚みを有する必要がある。
【００１３】
本発明において、カバー（５ａ）には、必要に応じて、角部以外の封鎖解除の手掛かりとなる突片を設けることが好ましい。突片の設置位置は、使用者が容易に開封できる場所であれば、その場所は問わないが、特に、ヒンジとは反対側のキャップ蓋部の端部に設けることが好ましい。この位置に突片を設けることにより、例えば図４に示すように、ユーザーは指の位置を一切変更することなく、開封から流動物の押出までを連続して、一連の動作で行なうことができる。
【発明の効果】
【００１４】
蓋部と前記キャップ本体とを開閉自在に連結するヒンジ部で一体化し、前記収容体が、蓋部の収容体との干渉が発生する開限界角を超えた開操作を以って容積が小さくなる様に変形し、前記蓋部の開限界角内への復帰を以って変形が回復する柔軟部を有する構造によって、例えば、押出操作の際、前記蓋部の先端部が力点、前記ヒンジ部が支点、当該角部と容器との接触点が作用点となり、前記蓋部に対する一連の操作によって１アクションで流動物を滴下することが可能となる。
【００１５】
カバーの表面に、蓋部を開放した状態で収容体の柔軟部に達する角部を設けることによって、カバーの大型化など様々な機能的要件をデザインに盛り込む必要がなくなり、ヒンジ部の捻れや封鎖不良を防止することができる。また、押出操作時にあっても、カバーの形態に関らず柔軟部へ確実な押圧を加える事ができる。更に、角部を設けることにより、その方向によっては、開封時に指をかける部分（押下部材）として用いることも可能であるから、キャップとキャップ本体の隙間から、指が触れることによる注出口の汚染を防止することができる。
【００１６】
また、キャップ本体の上端部を覆うカバーを、指一本分の厚さに満たない厚さとすることによって、カバーの嵩が低くなって誤開栓、及びヒンジ部の捻れ等に起因する封鎖不良を防止することができる他、栓が短くなることによって栓と注出口の向き合い位置が安定し、封鎖時の操作も容易なものとなる。
【００１７】
特に、ヒンジ部の側から突片へ略一様に下るスロープを上縁とする角部、例えば、突片からヒンジ部へ向かって、上に凸の弓状に反り上がった形状を採用した場合には、開栓方向に滑らかな形状となり、指その他の物体が角部に引っかかることによる誤開栓を防止することができる。
【図面の簡単な説明】
【００１８】
【図１】本発明による流動物押出容器の一例を示す（Ａ）：蓋部閉鎖時の斜視図，（Ｂ）：蓋部閉鎖時の縦断面図，（Ｃ）：蓋部開放時の斜視図，（Ｄ）：蓋部開放時の縦断面図である。
【図２】本発明のよる流動物押出容器を用いた押出操作の一例を示す（Ａ）：平面図、（Ｂ）：正面図、（Ｃ）：側面図である。
【図３】本発明による流動物押出容器の一例を示すキャップを取り外した状態の斜視図である。
【図４】本発明による流動物押出容器の実施態様例を示す説明図である。
【図５】本発明による流動物押出容器の蓋部の実施態様例を示す説明図である。
【図６】本発明による流動物押出容器の蓋部の実施態様例を示す説明図である。
【図７】本発明による流動物押出容器の蓋部の実施態様例を示す説明図である。
【図８】本発明による流動物押出容器の蓋部の実施態様例を示す説明図である。
【図９】本発明による流動物押出容器の蓋部の実施態様例を示す説明図である。
【図１０】本発明による流動物押出容器の実施態様例を示す説明図である。
【図１１】本発明による流動物押出容器の蓋部の実施態様例を示す説明図である。
【図１２】本発明による流動物押出容器の蓋部の実施態様例を示す説明図である。
【図１３】本発明による流動物押出容器の蓋部の実施態様例を示す説明図である。
【図１４】本発明による流動物押出容器の蓋部の実施態様例を示す説明図である。
【発明を実施するための形態】
【００１９】
以下、本発明による流動物押出用容器の実施の形態を図面に基づき説明する。
本発明による流動物押出用容器は、柔軟性を有する容器（収容体）１と、その注入口２に装着されたキャップ３とが、螺合又は嵌合等により一体化することで構成される。
【００２０】
前記キャップ３は、前記注入口に装着され略中央から突出した注出口４ａを備えるキャップ本体４と、当該キャップ本体４の上端部を覆って注出口４ａを封じる為の蓋部５と、当該蓋部５と前記キャップ本体４とを略一定の軌道を以って開閉自在に連結するヒンジ部６とを、ポリエチレン（ＰＥ）、ポリプロピレン（ＰＰ）、或いはポリエチレンテレフタレート（ＰＥＴ）等で一体成形してなる。
【００２１】
前記容器１は、前記キャップ３と同様の素材で成形され、押出操作を伴う開操作を以って容積が小さくなる様に変形し、押出操作の解除を以って変形が復帰・回復する柔軟部１ａを有する。
【００２２】
前記蓋部５は、キャップ本体４の上端部を覆うカバー５ａ、容器の側面を押圧する角部５ｂ、注出口４ａに嵌まる栓５ｃ、当該栓５ｃを円筒状に取り囲む隔壁５ｄ、及び開閉の操作を指から受ける突片５ｅを備える。
【００２３】
当該実施の形態における蓋部５のカバー５ａは、円形ドーム状に成形され、指一本分の厚さに満たない厚さを有している。当該カバー５ａの裏面中央には、注出口４ａを封じる為の栓５ｃが有底筒状の形態で突設され、当該栓５ｃの周囲には、閉鎖した際に注出口４ａに近接してその周囲を取り囲む様に、円筒状の隔壁５ｄが突設されている（図１（Ｂ）（Ｄ）参照）。
【００２４】
前記蓋部５の先端部（ヒンジ部６の反対側）には、開栓操作及び押出操作の開始時において使用者の指が係る突片５ｅが一体的に設けられている。突片５ｅの向きは水平又は下向きの何れを採用しても良く、別途、開栓操作の手掛かりとなる部分を設けても良い。
【００２５】
また、当該カバー５ａの表面には、蓋部５を開放した状態で容器１の柔軟部１ａに達する角部５ｂが一体的に設けられている。
図１に示す角部５ｂは、ヒンジ部６付近から突片５ｅの方向へ上向きに立ち上がる略均等幅のスロープを備え、その上端からカバー５ａの中心付近に至る立ち上がり面を備える。
前記スロープ又は立ち上がり面の幅は、蓋部５のデザインに応じて広狭何れにも設計することができる他、カバー５ａ及び角部５ｂを、スロープと立ち上がり面からなる形状に限らず、例えば、アニメキャラクターの頭部（図１１乃至図１４参照）や、図１０に示すような種々の形状にデザインすることもできる。また、図１０（Ｅ）（Ｆ）に示す様に、複数の角部５ｂを設け、開栓時に指を欠ける角部５ｂと、柔軟部１ａを押圧する角部５ｂを個別に成形しても良い。
【００２６】
角部５ｂの上端は、容器１の柔軟部１ａへの加圧によって用途に応じた量の流動物を押し出し易くする形態とする。
当該例は、点眼容器であることから、内容物の注出に十分な押出操作において、柔軟部１ａを損傷（穿孔など）させたり、押出操作の度に過度に消耗させることなく、一回の点眼量を注出できる形態とする。
【００２７】
具体的には、例えば、略一回の点眼量に略等しい容積の円柱状、若しくは滑らかな上縁を備えた板状の加圧条５ｂａを、角部５ｂの上端に柔軟部１ａに対して平行となる様に成形し（図１及び図２等参照）、又は球状の加圧玉５ｂｂを、角部５ｂの上端に成形する（図５及び図６等参照）。その際、加圧条５ｂａの直径若しくは幅、又は加圧玉５ｂｂの直径等は、例えば、前記一回分の内容物の注出を実現できる押圧の深さ及び幅に略等しくすれば良い。
【００２８】
当該立ち上がり面は、前記突片５ｅと共に、開栓操作の手掛かりとして用いる場合には、突片５ｅに面して弓形に凹ませ、指が係りやすい形状とする（例えば、図１、図２、図５、図７、及び図８参照。）。一方、誤開栓防止を重視する場合には、ヒンジ部の側から突片へ略一様に下るスロープが上縁となる様に、前記立ち上がり面を突片５ｅに面して滑らかな弓形に脹らませ、開栓方向に加わった外力を逃し易い形態とする（図６参照）。
【００２９】
キャップは、蓋部５におけるカバー５ａの内周縁に凹凸のある係止部５ｆを備えると共に、前記キャップ本体４の上周縁部に、前記係止部５ｆが嵌まる凹凸を備えた切欠部４ｂを備える。前記係止部５ｆの凹凸と、前記キャップ本体４の切欠部４ｂに形成された凹凸とが相互に嵌まり合って一体化し、これを以って蓋部５の封鎖状態が維持される。
【００３０】
上記実施の形態は、前記押出操作の際、前記蓋部５の突片５ｅを力点、前記ヒンジ部６を支点、当該蓋部５の角部５ｂの先端部が作用点となる様に、当該蓋部５の位置及び形状を設定したものである。
【００３１】
上記流動物押出用容器によれば、図１の如く、前記ヒンジ部６を支点とした前記蓋部５の揺動を以って、片手で当該蓋部５の開閉を行うことができる。また、図１（Ｂ）の矢印方向へ親指を動かす等の一連の押出操作（図４参照）を以って、ワンアクションで流動物を注出口４ａから押し出すことができ、例えば、点眼剤用の滴下（点眼）容器として用いる際には素早く適量の点眼剤の滴下を行え、当該蓋部５を落下し、或いは紛失するおそれもない。
【００３２】
また、当該実施の形態にあっては、前記ヒンジ部６は、折目となる直線状の薄肉部７を具備して構成されているので（図１参照。）、前記蓋部５の開閉が大きな横振れを伴うことなく行われ、且つ揺動軌道が安定することから、前記ヒンジ部６の捻れ等で押出操作や開閉操作が滞ることもない。
【符号の説明】
【００３３】
１  容器，１ａ  柔軟部，２  注入口，３  キャップ，
４  キャップ本体，４ａ  注出口，４ｂ  切欠部，
５  蓋部，５ａ  カバー，５ｂ  角部，５ｂａ  加圧条，５ｂｂ  加圧玉，
５ｃ  栓，５ｄ  隔壁，５ｅ  突片，５ｆ  係止部，
６  ヒンジ部，７  薄肉部，
【図１】
0005587584.tif 000002
【図２】
0005587584.tif 000003
【図３】
0005587584.tif 000004
【図４】
0005587584.tif 000005
【図５】
0005587584.tif 000006
【図６】
0005587584.tif 000007
【図７】
0005587584.tif 000008
【図８】
0005587584.tif 000009
【図９】
0005587584.tif 000010
【図１０】
0005587584.tif 000011
【図１１】
0005587584.tif 000012
【図１２】
0005587584.tif 000013
【図１３】
0005587584.tif 000014
【図１４】
0005587584.tif 000015